【手続補正書】
【提出日】平成25年1月22日(2013.1.22)
【手続補正１】
【補正対象書類名】特許請求の範囲
【補正対象項目名】全文
【補正方法】変更
【補正の内容】
【特許請求の範囲】
【請求項１】
第１の固定端及び第１の可動端を有する第１の軸と第１の外側表面とを有する第１のローラと、
第２の固定端及び第２の可動端を有する第２の軸と第２の外側表面とを有し、前記第１のローラとは異なる位置に配置される、第２のローラと、
前記第１のローラ及び前記第２のローラにより支持され、前記第１のローラの前記第１の外側表面及び前記第２のローラの前記第２の外側表面と接触する内側表面を有する、ベルトと、
前記第１のローラに隣接する第１の位置にあり、前記第１の位置における前記ベルトの第１の横方向位置を計測するための第１のセンサと、
前記第２のローラに隣接し前記第１の位置とは前記ベルトの長さに沿って異なる第２の位置にあり、前記第２の位置における前記ベルトの第２の横方向位置を計測するための第２のセンサと、
前記ベルトの長さに沿う前記第１の位置と前記第２の位置との間の付加的な位置における複数の付加的なセンサであって、前記付加的な位置における前記ベルトの付加的な横方向位置を測定する、前記付加的なセンサと、
前記第１のセンサ、前記第２のセンサ、及び前記付加的なセンサと通信し、前記第１の軸及び前記第２の軸に動作可能に接続される、コントローラと、
を備え、
前記コントローラは、前記第１の可動端の移動及び前記第２の可動端の移動を引き起こして、前記第１の位置における前記ベルトの前記第１の横方向位置並びに前記第２の位置における前記ベルトの前記第２の横方向位置を選択的に調整し、その結果、所望の横方向端ベルトアライメントが達成されるように前記付加的な位置における前記ベルトの前記付加的な横方向位置を調整する、
ことを特徴とする装置。
【請求項２】
前記第１の固定端に隣接する前記第１の軸に動作可能に接続されて前記第１のローラを回転させる駆動モータと、
前記駆動モータに接続されたフレキシブルな取り付け具であって、前記第１の可動端の前記移動と共に前記駆動モータの移動を可能にする前記フレキシブルな取り付け具と、   を更に備える請求項１に記載の装置。
【請求項３】
第１の固定端及び第１の可動端を有する第１の軸と第１の外側表面とを有する第１のローラと、
前記第１の軸に前記第１の固定端に隣接して動作可能に取り付けられ、前記第１のローラを回転させる、駆動モータと、
第２の固定端及び第２の可動端を有する第２の軸と第２の外側表面を有し、前記第１のローラとは異なる位置に配置される、第２のローラと、
前記第１のローラ及び前記第２のローラにより支持され、前記第１のローラの前記第１の外側表面及び前記第２のローラの前記第２の外側表面と接触する内側表面を有する、ベルトと、
前記第１のローラに隣接する第１の位置にあり、前記第１の位置における前記ベルトの第１の横方向位置を計測するための第１のセンサと、
前記第２のローラに隣接する第２の位置にあり、前記第２の位置における前記ベルトの第２の横方向位置を計測するための第２のセンサと、
前記第１のセンサと通信し、前記第１の軸に動作可能に接続され、前記第１の可動端の移動を引き起こして、前記第１の位置における前記ベルトの前記第１の横方向位置を調整するための、第１のコントローラと、
前記第１のコントローラとは独立して、前記第２のセンサと通信し、前記第２の軸に動作可能に接続され、前記第２の可動端の移動を引き起こして、前記第２の位置における前記ベルトの前記第２の横方向位置を調整するための、第２のコントローラと、
を備えることを特徴とする装置。
【請求項４】
第１の固定端及び第１の可動端を有する第１の軸と第１の外側表面とを有する第１のローラと、
前記第１の軸に前記第１の固定端に隣接して動作可能に取り付けられ、前記第１のローラを回転させる、駆動モータと、
第２の固定端及び第２の可動端を有する第２の軸と第２の外側表面とを有し、前記第１のローラとは異なる位置に配置される、第２のローラと、
前記第１のローラ及び前記第２のローラの上を所与の方向に移動し、前記第１のローラの前記第１の外側表面及び前記第２のローラの前記第２の外側表面に接触する内側ベルト表面と外側ベルト表面とを有する、中間転写ベルトと、
前記中間転写ベルトが前記第１のローラから前記第２のローラに向って前記所与の方向に移動するときに前記外側ベルト表面に隣接する複数の画像化ステーションと、
前記中間転写ベルトが前記第２のローラから前記第１のローラに向って前記所与の方向に移動するときに前記外側ベルト表面に隣接するベルト−印刷媒体転写ステーションと、
前記第１のローラに隣接する第１の位置にあり、前記第１の位置における前記ベルトの第１の横方向位置を計測するための第１のセンサと、
前記第２のローラに隣接する第２の位置にあり、前記第２の位置における前記ベルトの第２の横方向位置を計測するための第２のセンサと、
前記第１のセンサ及び前記第２のセンサと通信し、前記第１の軸及び前記第２の軸に動作可能に接続される、少なくとも１つのコントローラと、
を備え、
前記少なくとも１つのコントローラは、前記第１の可動端の移動及び前記第２の可動端の移動を引き起こして、前記第１の位置における前記ベルトの前記第１の横方向位置並びに前記第２の位置における前記ベルトの前記第２の横方向位置を調整する、
ことを特徴とする印刷装置。
【請求項５】
第１の固定端及び第１の可動端を有する第１の軸と第１の外側表面とを有する第１のローラと、
前記第１の軸に前記第１の固定端に隣接して動作可能に取り付けられ、前記第１のローラを回転させる、駆動モータと、
第２の固定端及び第２の可動端を有する第２の軸と第２の外側表面とを有し、前記第１のローラとは異なる位置に配置される、第２のローラと、
前記第１のローラ及び前記第２のローラの上を所与の方向に移動し、前記第１のローラの前記第１の外側表面及び前記第２のローラの前記第２の外側表面と接触する内側ベルト表面、並びに外側ベルト表面を有する、中間転写ベルトと、
前記中間転写ベルトが前記第１のローラから前記第２のローラに向って前記所与の方向に移動するときに前記外側ベルト表面に隣接する複数の画像化ステーションと、
前記中間転写ベルトが前記第２のローラから前記第１のローラに向って前記所与の方向に移動するときに前記外側ベルト表面に隣接するベルト−印刷媒体転写ステーションと、
前記第１のローラに隣接する第１の位置にあり、前記第１の位置における前記ベルトの第１の横方向位置を計測するための第１のセンサと、
前記第２のローラに隣接する第２の位置にあり、前記第２の位置における前記ベルトの第２の横方向位置を計測するための第２のセンサと、
前記第１のセンサ及び前記第２のセンサと通信し、前記第１の軸及び前記第２の軸に動作可能に接続される、少なくとも１つのコントローラと、
を備え、
前記少なくとも１つのコントローラは、前記第１の可動端の移動及び前記第２の可動端の移動を引き起こして、前記第１の位置における前記ベルトの前記第１の横方向位置並びに前記第２の位置における前記ベルトの前記第２の横方向位置を調整し、
前記駆動モータは、前記第１の可動端の前記移動と共に前記駆動モータの移動を可能にするようにフレキシブルに取り付けられる、
ことを特徴とする印刷装置。
【請求項６】
前記少なくとも１つのコントローラは、前記第１の可動端の前記移動と前記第２の可動端の前記移動を生じさせ、前記ベルトの前記第１の横方向位置を前記第１の位置に前記ベルトの前記第２の横方向位置を前記第２の位置に独立に又は従属的に調整する、請求項５に記載の印刷装置。